(57)【特許請求の範囲】
【請求項１】
樹脂製の上板および下板の外周部での連結により中空とし、中央部の内外を連通させて炊飯時に発生する蒸気を外部に逃がす蒸気口と、後部に設けられた開閉用のヒンジ連結部と、上板の蒸気口まわりの表面を覆うように設けられて上板に連結部で連結された金属板と、を有した器体蓋を備え、
金属板は、その上板覆い域の外周部に上板側に折曲して上板側に進入し連結部で連結される補強周壁を形成し、
この補強周壁は、上板の溝部内に進入し外観されない条件のもと、器体蓋周辺の上方への反り返り易度の高低分布に比例した高さ分布を持つように形成したことを特徴とする電気炊飯器の器体蓋構造。
【請求項２】
補強周壁の左右両側を後部側から前部側に高くしていき、同じ高さ以上の前部に繋がるようにした請求項１に記載の電気炊飯器の器体蓋構造。
【請求項３】
金属板の上板覆い域は、非円形な平面形状で、補強周壁は、上方への反り返りの易度が高くなる高易反り返り域での高さを、それとは反対の低易反り返り域よりも高くした請求項１、２のいずれか１項に記載の電気炊飯器の器体蓋構造。
【発明の詳細な説明】
【技術分野】
【０００１】
本発明は、器体に収容された内鍋を炊飯モードで加熱して炊飯を行い、炊飯後保温モードで加熱して保温するか、保温モードを省略することができる電気炊飯器の器体蓋構造に関するものである。
【背景技術】
【０００２】
電気炊飯器は、一般に、本発明の実施の形態に係る図を参照して、器体１内に内鍋２を収容し、器体１および内鍋２を器体蓋２５および内蓋３６で閉じた状態で、内鍋２を器体１側の加熱手段３によって加熱し、炊飯や保温を行うようになっている。また、保温時に内蓋３６を含む内鍋２まわりに温度差があると、結露の原因になってご飯の部分的なべたつきなどの原因になる。特に、外気の影響を受けやすい内蓋３６の外まわりが温度不足になりやすいのを、器体蓋２５を中空に形成する樹脂製の上板３２および下板３３のうちの下板３３の内鍋２に対応する範囲を金属製の放熱板３５とし、この上面に蓋ヒータ３１を設けて温度補償することなどで対応し、場合によって、器体１側の肩部を含む上部まわりに、加熱手段３の一部として、または保温専用としてヒータなどを設けることも行われている。
【０００３】
一方、炊飯中に発生する蒸気は内蓋３６および器体蓋２５を通じ外部に放出するが、器体蓋２５の蒸気口４９の外周りには、蒸気に随伴して吹き出し、または漏れ出したおねばが付着し、乾燥するので、これを洗い、吹き取るお手入れが比較的頻繁に行われる。このため、蒸気口４９まわりが樹脂表面のままでは擦り傷がつきやすい問題を回避し、熱影響による変色防止や、質感の向上による商品の訴求力向上を図るのに、上板３２表面の蒸気口４９まわりを、本実施の形態を示す図１、図２に見られるように比較的広域に金属板５１、特に腐食せずそのままでも見栄えの良いステンレス鋼板によって覆うことが行われている（例えば、特許文献１参照。）。
【０００４】
特許文献１は、金属板５１を設けるのに、貼り付けやインサート成形などの手法があるが、貼り付けでは上板３２と金属板５１との熱負荷による熱変形差で剥がれやすく、インサート成形では貼り付けの場合よりは剥がれにくいが、例えば、金属板５１の外周にプレス成形した等幅で、段差部の高さも等しい、フラットなインサート用の縁部を利用して上板３２にインサートするだけの構造となるので、成形収縮や冷、熱負荷の反復時の伸縮差のために金属板５１に変形が生じやすく、時には剥がれることがあるし、成形時にゲートからの樹脂の分流、各部への回り込みが悪く、ウエルドや引けを発生するほか、これらのために、上板３２と金属板５１との境界部の平面性に欠ける旨指摘、これを解決すべく、上板３２をそれより小さいがほぼ相似形となる金属板５１と共に、全体として、左右の幅よりも前後方向の長さが大きい丸みを帯びた長方形状をなして形成する一方、金属板５１が上板３２の中央部にある蒸気口４９から外周の間にインサート成形するのに、金属板５１の外周に上板外周部へのインサート用の縁部が、金属板５１の内周には上板３２の中央部へのインサート用の縁部が、それぞれ上面よりも所定の寸法低くなる所定の段差部を介して設け、外周側の縁部は、対応する上板３２の外周部の成形条件に応じて段差部の形態を異ならせるようにし、この段差部の形態の相違は、段差部の高さの相違で、成形時におけるゲート部側の段差部の高さが其の他の側の段差部の高さよりも高くする技術を開示している。このような高さの違いによってインサート成形時各部で異なる適切な量の樹脂を、ウエルドを生じさせることなく可及的スムーズに供給できる。
【先行技術文献】
【特許文献】
【０００５】
【特許文献１】特許第３６２７６９８号
【発明の概要】
【発明が解決しようとする課題】
【０００６】
ところで、器体蓋２５は、後部に比べ前部は成形時のヒケなどの関係で厚みを抑えてあるため変形強度が不足し、下方からの入熱によって経時的に変形する。特に下板３３は環状でしかも入熱しやすい位置にあるので、本実施の形態を示す図４に見られるように、破線矢印Ａで示すように外周側が上側に反りやすく、器体１の肩部との間に隙間ができたり、上記記載のような変形が、下板３３に外周部が連結している上板３２にも及んで金属板５１の周辺部との間に隙間ができて金属板５１の端部が見えるなどし、体裁が悪くなる。
【０００７】
そこで、従来、図４に見られるように、下板３３の裏面に多数の補強リブ５３を形成するのに加え、下板３３の裏回りで他の邪魔にならない前後２か所に、左右両側部分を連結して、破線矢印Ａの方向への反りに対向する実線矢印Ｂの方向への矯正力を働かせる、補強金具５２、５２を設けることが行われている。しかし、下板３３前部の左右の反りに対抗し切れず、どうしても反ってしまうことが時として生じる。これを解消する技術はまだ提供されていない。
【０００８】
本発明者は、特許文献１で知られるような金属板５１の上板３２上面での存在に着目し、金属板の座屈強度を利用して器体蓋２５、特に上板３２の左右部分の上側への反りに対する突っ張りとして働かせ、これが下板にも及び、器体蓋２５の反りを防止できる技術を開発した。
【０００９】
本発明は、上記開発技術から、上板の蒸気口まわりの表面を覆う金属板、ないしは金属板の上板との結合構造の改良だけで、入熱による経時的な反りを十分に防止できる電気炊飯器の器体蓋構造を提供することを課題とするものである。
【課題を解決するための手段】
【００１０】
上記の課題を解決するために、本発明の電気炊飯器の器体蓋構造は、樹脂製の上板および下板の外周部での連結により中空とし、中央部の内外を連通させて炊飯時に発生する蒸気を外部に逃がす蒸気口と、後部に設けられた開閉用のヒンジ連結部と、上板の蒸気口まわりの表面を覆うように設けられて上板に連結部で連結された金属板と、を有した器体蓋を備え、金属板は、その上板覆い域の外周部に上板側に折曲して上板側に進入し連結部で連結される補強周壁を形成し、この補強周壁は、上板の溝部内に進入し外観されない条件のもと、器体蓋周辺の上方への反り返り易度の高低分布に比例した高さ分布を持つように形成したことを特徴としている。
【００１１】
このような構成では、金属板の外周部に形成した補強周壁は、上板側への折曲形態によって自身の上板覆い域周辺での上方への反り返り強度を高めるので、これが上板側に侵入して連結部で連結された上板にも及ぶことと、上板側に侵入している補強周壁に囲われた上板覆い域が上板の周辺が上方に反り返ることに対し幾分の突っ張り力を及ぼすことと、で、上板の周辺の上方への反り返り強度となるし、上板の外周部で連結されている下板の周辺の上方への反り返り補強ともなる。特に、金属板の補強周壁は、上板の溝部内に進入して、器体蓋周辺の上方への反り返り易度の高低分布に比例した高さ分布を持つように形成しているので、高さ分布状態が外観されることなく、上板および下板の周辺の上方への反り返り易度の高低分布による器体蓋の周辺の総合的な上方への反り返り易度の高低分布に応じた反り返り補強が補強周壁の高さ分布を比例的に合わせるだけで過不足なく行える。
【００１２】
それには、器体蓋の後部側から左右両側を経て前部側に上方への反り返り易度が高まる傾向があることに対応して、補強周壁の左右両側を後部側から前部側に高くしていき、同じ高さ以上の前部に繋がるようにするのが好適である。
【００１３】
上記において、さらに、金属板の上板覆い域は、非円形な平面形状で、補強周壁は、上方への反り返りの易度が高くなる高易反り返り域での高さを、それとは反対の低易反り返り域よりも高くすることを特徴とすることができる。
【００１４】
このような構成では、上記に加え、さらに、近時多くなっている平面形状がほぼ角形の器体および器体蓋にほぼ相似形とした、金属板のほぼ角形な上板覆い域のコーナ部が高易反り返り域となるのを、低易反り返り域となるそれ以外よりも補強周壁の高さが高いことにより、反り返り強度を高められる。
【発明の効果】
【００１９】
本発明の電気炊飯器の器体蓋構造によれば、補強周壁で金属板の上板覆い域周辺での上方への反り返り強度を高めて、これと連結した上板にも及ぼすのに併せ、上板覆い域で上板の周辺の上方への反り返りに対し幾分の突っ張り力を及ぼして、上板およびこれと外周部で連結されている下板双方の反り返り補強としながら、器体蓋周辺の上方への反り返り易度の高低分布に比例した高さ分布を持つように補強周壁を形成するだけで、従って、加工工数、部品点数、組立工数が増大したり、構造が複雑になったりすることなく、上板、下板およびそれらによる器体蓋の周辺の総合的な、上方への反り返り易度の高低分布に応じた反り返り補強を、過剰補強の無駄や、補強不足なく達成することができる。しかも、補強周壁は上板の溝部内に進入して、器体蓋周辺の上方への反り返り易度の高低分布に比例した高さ分布を持つように形成しているので、その高さ分布状態が外観されることはない。
【００２０】
器体蓋の後部側から左右両側を経て前部側に上方への反り返り易度が高まる傾向があることには、補強周壁の左右両側を後部側から前部側に高くしていき、同じ高さ以上の前部に繋がるようにして簡単に対応できる。
【００２１】
上記に加え、さらに、器体および器体蓋にほぼ相似形としたほぼ角形な上板覆い域を持った金属板のコーナ部が高易反り返り域となるのを、それとは逆の低易反り返り域よりも補強周壁の高さを高くするだけで、反り返り強度を高めて十分な反り返り補強ができる。
【図面の簡単な説明】
【００２４】
【図１】本発明に係る実施の形態の器体蓋構造の１つの例を採用した電気炊飯器を示す断面図である。
【図２】同電気炊飯器の器体蓋構造を示す前後方向と、左右方向と、で断面した各断面図である。
【図３】同蓋体の上板の要部、金属板、同金属板の要部を示す斜視図である。
【図４】同電気炊飯器の器体蓋の下板を示す斜視図である。
【発明を実施するための形態】
【００２５】
本発明に係る実施の形態の電気炊飯器の器体蓋構造の１つの例につき、図１〜図４を参照しながら説明し、本発明の理解に供する。以下の説明は本発明の具体例であって特許請求の範囲の記載を限定するものではない。本発明の前記以上の課題および特徴は、以下の詳細な説明および図面によって明らかになる。
【００２６】
図１に示す電気炊飯器１００は、図１に示すように、器体１に収容された内鍋２を炊飯モードで加熱して炊飯を行い、炊飯後保温モードで加熱して保温するか、保温モードを省略することができ、内鍋２を加熱する加熱手段３備えている。器体１は前部に、例えば上向きまたは斜め上向きとした、操作パネル１１を備え、図示しないが各種炊き分けの炊飯モード、予約炊飯の予約時刻設定部、保温選択操作部、冷凍適正温度への急速冷却選択操作部、炊飯スタート操作部などが、選択状態の表示部、動作状態の表示部、現時刻、炊飯の残時刻などの時刻表示部と共に設けられている。操作パネル１１はその内側に操作基板１１ａがマイクロコンピュータを搭載して位置し、ハード系の制御を行う制御装置１２が有している制御基板１２ａと接続され、操作基板１１ａはマイクロコンピュータの制御機能により、制御基板１２ａと協働して、初期設定、操作パネル１１からの入力情報に応じ、加熱手段３や冷却手段４を個別に動作制御して炊飯や保温などを実行する。
【００２７】
本例では、加熱手段３は主として、炊飯に関与し、保温にも用いられる加熱コイル１３と、この加熱コイル１３からの交番磁界を受けて発熱する内鍋２自体または内鍋に設けられた発熱体１４との組合わせよりなる電磁誘導加熱手段とし、保温時に生じる温度差を緩和ないしはなくすために器体１の肩部や器体蓋２５に設けられる電気ヒータ３１などを併用する。もっとも、電気ヒータ３１なども電磁誘導加熱手段とすることもできる。加熱コイル１３は中空の器体１内に設けられ、器体１の内壁を構成する内装ケース１５の外まわり直近に位置して内鍋２側の発熱体１４との距離を小さくして電磁誘導効率を高めている。また、内装ケース１５の少なくとも加熱コイル１３と対向する例えば底部範囲を透磁性のよい樹脂製底部１５ａとし、加熱コイル１３から発熱体１４への電磁誘導作用を低下させないようにしている。
【００２８】
加熱コイル１３はＩＧＢＴ１６を介したスイッチング制御に基づき高周波電力を印加されて動作し、動作中は発熱するので、これを含む発熱部を器体１内で空冷するための冷却手段４を設けている。冷却手段４は、冷却ファン１７を器体１に内蔵し、冷却ファン１７に吸引した外気を制御基板１２ａなどの仕切り効果によって加熱コイル１３側と、制御基板１２ａのＩＧＢＴ１６の搭載側とに振り分けて送風し、加熱コイル１３と、制御基板１２ａ上の発熱要素であるＩＧＢＴ１６などとに送風して空冷するようにしている。ＩＧＢＴ１６の発熱が高温であるために、送風ファン１７からの送風に対するフィンなどの熱交換作用部を持った熱伝導性に優れたアルミニウムなどよりなるヒートシンク１８に接触させて冷却効果を高めている。ＩＧＢＴ１６はヒートシンク１８に対しては絶縁シートを介して接触させるのが漏電による問題回避に好適となる。
【００２９】
中空の器体１は、外装ケース１９および内装ケース１５で構成され、内装ケース１５は、前記樹脂製底部１５ａと樹脂製肩部１５ｃとの間に鋼板やアルミニウムなど金属製胴部１５ｂを設け、外装ケース１９は、金属製胴部１９ａを合成樹脂製の底部材１９ｃと合成樹脂製の肩部材１９ｂとの間に挟んで一体化し、内装ケース１５とは双方の肩部材１５ｃ、１９ｂにて連結している。
【００３０】
加熱コイル１３の外周りには、巻き線を横断するよう放射状に配置されたフェライト２７が設けられ、加熱コイル１３が高周波駆動されるときに発生し発熱体１４である銀層に働く交番磁界を安定させるようにしてある。内鍋２は本例では土鍋などの非金属製であり、高台２ａにて内装ケース１５底部の外周部複数個所、具体的には３か所以上に設けたゴムなどの弾性支持部２８に受載されるようにし、内装ケース１５底部の中央に器体１内から内装ケース１５の内側に突出するようにばね付勢した温度センサ２９が設けられ、弾性支持部２８に載置された内鍋２の底部外面に圧接することで、発熱体１４が加熱コイル１３によって発熱されるときの温度の変化を検出するようにしてあり、検出した温度情報の基に操作基板１１ａ上のマイクロコンピュータによって炊飯時および保温時の温度制御を行う。
【００３１】
器体蓋２５は、樹脂製の上板３２と下板３３とで中空に形成されて、器体１の肩部材１９ｂの後部にヒンジピン３４により開閉できるように支持し、下板３３の内鍋２の開口に対応する範囲にアルミニウムなど金属製の放熱板３５を設けて、前記電気ヒータ３１を上面に装備し、内鍋２の開口を閉じるアルミニウムなど金属製の内蓋３６を介し炊飯後のご飯を上方から加熱して温度むらのない、従って、結露が生じない保温に役立てるようにしている。内蓋３６には内鍋２の開口との間をシールするシール部材４１が装着され、器体蓋２５の下板３３と放熱板３５との嵌め合わせ部には内蓋３６の外周部との間をシールするシール部材４２を挟持して設けてある。また、器体蓋２５の前部には、器体蓋２５が閉じられたとき、器体１の肩部材１９ｂの前部に軸４３で枢支されロック位置を保つようにばね付勢されたロック部材４４と係合して器体蓋２５を閉じ位置にロックする係合部４５が設けられ、器体蓋２５を閉じると自動的に閉じ状態にロックされ、ロック部材４４をばねに抗してロック解除操作することで器体蓋２５の閉じ位置へのロックを解き、器体蓋２５がばねの付勢力によって適度な制動のもとに開かれるようにしている。閉じ状態での器体蓋２５はそのシール部材４２を圧接させて双方間のシール部材４２によるシールを確保するのに併せ、内蓋３６を押圧することでシール部材４３をも内鍋２の開口に圧接させて双方間のシール部材４３によるシール状態を確保し、炊飯や保温がプログラム通り、設定通りに遂行されるようにしている。内蓋３６と器体蓋２５とは分離して独立に取扱い、双方間の洗浄や清掃が行えるようにするが、器体蓋２５の開閉に同伴できるよう、器体蓋２５の周方向適数か所に内蓋３６の外周部を弾性係合させるようにばね付勢した係合部材４６を設けてある。また、内蓋３６には放熱板３５との間で、内鍋２内のおねばや蒸気をシールリップ４７の放熱板３５への圧接力による制限の基に、内蓋３６および放熱板３５間に吹き出させる吹き出し口４８を設けてあり、器体蓋２５にはおねば分離室４９ａにておねばを分離した後の蒸気を外部に逃がす蒸気口４９が設けられている。
【００３２】
本実施の形態の器体蓋構造は、上記のような電気炊飯器１００および器体蓋２５の具体例に限られることはないが、器体蓋２５が樹脂製の上板３２および下板３３の入熱による外周部での上方への反りの問題がある器体蓋構造として、樹脂製の上板３２および下板３３の外周部での図２（ａ）（ｂ）に示す相互係合部５５などを利用した連結により中空とし、中央部の内外を連通させて炊飯時に発生する蒸気を外部に逃がす蒸気口４９と、後部に設けられた開閉用の前記ヒンジピン３４によるヒンジ連結部５６と、上板３２の蒸気口５９まわりの表面を覆うように設けられて上板３２に連結部５１ａで連結された金属板５１と、を有した器体蓋２５を備え、上板３２の後端側上カバー６１との突き合わせ端部、左右方向の補強リブ６２を設けて反り返りに対応しているが、前部側に設けるスペースはなく、反りの問題は回避できない。そこで、金属板５１は、その上板覆い域５１ｂの外周部に上板３２側に折曲して上板３２側に進入し連結部５１ａで連結される補強周壁５１ｃを形成し、この補強周壁５１ｃは、器体蓋２５周辺の上方への反り返り易度の高低分布に比例した図３（ｂ）（ｃ）に例示するような高さ分布を持つように形成している。因みに、下板３３の厚みは２．５ｍｍ程度であるのに対し補強リブ６２の厚みは１．５ｍｍ程度と薄くし、省スペース化、軽量化に配慮している。
【００３３】
このように、金属板５１の外周部に形成した補強周壁５１ｃは、上板３２側への折曲形態によって自身の上板覆い域５１ｂ周辺での上方への反り返り強度を高めるので、これが上板３２側に侵入して連結部５１ａで連結された上板３２にも及ぶことと、上板３２側に侵入している補強周壁５１ｃに囲われた上板覆い域５１ｂが上板３２の周辺が上方に反り返ることに対し幾分の突っ張り力を及ぼすこと、で、上板３２の周辺の上方への反り返り強度となるし、上板３２の外周部で連結されている下板３３の周辺の上方への反り返り補強ともなる。特に、金属板５１の補強周壁５１ｃは、器体蓋２５周辺の上方への反り返り易度の高低分布に比例した高さ分布を持つように形成しているので、上板３２および下板３３の周辺の上方への反り返り易度の高低分布による器体蓋２５の周辺の総合的な上方への反り返り易度の高低分布に応じた反り返り補強が補強周壁５１ｃの高さ分布を比例的に合わせるだけで過不足なく行える。
【００３４】
具体的には、既述したように、器体蓋２５の後部側から左右両側を経て前部側に上方への反り返り易度が高まる傾向があることに対応して、図３（ｂ）に示すように、補強周壁５１ｃの左右両側５１ｃ２、５１ｃ３を後部側５１ｃ１での高さＨ２から前部側５１ｃ４での高さＨ３まで高くしていき、Ｈ３と同じ高さ以上の前部高さＨ４に繋がるようにする。図示例では高さＨ２が後部の高さＨ１と等しく、高さＨ３は前部の高さＨ４と等しくしてある。しかし、これに限られることはない。なお、金属板５１の蒸気孔４９に対応する中央部の開口５１ｄにも上板３２側に折曲した補強周壁５１ｅを形成してあり、この補強周壁５１ｅによって金属板５１の上板覆い域５１ｂ自体が入熱によって浮き上がるようなことを防止することができ、必要に応じ補強周壁５１ｃの場合同様に上板３２側への連結構造を採用することができる。
【００３５】
これらの結果、補強周壁５１ｃで金属板５１の上板覆い域５１ｂ周辺での上方への反り返り強度を高めて、これと連結した上板３２にも及ぼすのに併せ、上板覆い域５１ｂで上板３２の周辺の上方への反り返りに対し幾分の突っ張り力を及ぼして、上板３２およびこれと外周部で連結されている下板３３双方の反り返り補強としながら、器体蓋２５周辺の上方への反り返り易度の高低分布に比例した高さ分布を持つように補強周壁５１ｃを形成するだけで、従って、加工工数、部品点数、組立工数が増大したり、構造が複雑になったりすることなく、上板３２、下板３３およびそれらによる器体蓋２５の周辺の総合的な、上方への反り返り易度の高低分布に応じた反り返り補強を、過剰補強の無駄や、補強不足なく達成することができる。
【００３６】
ここで、補強周壁５１ｃの上板３２への進入構造、連結部５１ａによる上板３２との連結構造は、上板３２へのインサート成形によるものとすることもできるが、図示例での補強周壁５１ｃは、上板３２に形成した図２、図３に示すような環状の溝部３２ａに侵入し、連結部５１ａは、補強周壁５１ｃの各部から延びて溝部３２ａの底部の各部で上板３２の裏側に貫通させた貫通部３２ｂに挿し通して上板３２裏側に出る抜け止め部分５１ａ１の、上板３２裏側での変形による遊びのない抜け止めによって、金属板５１を上板３２に連結する挿し通し片としてある。抜け止め部５１ａは、例えば、折り曲げ、捩じり、潰し、といった変形によって上板３２との間に遊びなく抜け止めして、金属板５１の上板覆い域５１ｂが上板３２の上面に密着するように上板３２を挟持する状態で金属板５１を上板３２に連結することができ、その連結強度は、連結部５１ａの幅、厚み、周方向の配列ピッチの少なくとも１つによって、加工工数、部品点数、組立工数、構造の複雑化無しに調整することができる。連結部５１ａとその抜け止め部５１ａ１は金属板５１の補強周壁５１ｃから延びる板部であるので、図２に例示するように直角に折り曲げて抜け止めするのが簡単で十分な抜け止め効果が得られる利点がある。開口３２ｄの補強周壁５１ｅも環状の溝部３２ａに進入している。
【００３７】
補強周壁５１ｃの上板３２への周方向での連結強度の前記調整としては、前記した調整構造に限られることはないが、補強周壁５１ｃの高低分布に比例した大小分布とする。これにより、補強周壁５１ｃは、器体蓋２５の周辺の上方への反り返りの易度分布に比例した高さにして、器体蓋２５の反り返り強度を高めるのに、補強周壁５１ｃの高さが高く、器体蓋２５に対する反り返り強度を高める部分ほど器体蓋２５の入熱による反り返り力によって受ける負荷が増大するのを、上板３２との連結強度を高めることで過不足なく耐えられるようにできる。加工工数、部品点数、組立工数、構造の複雑化無しに調整することができる。
【００３８】
また、金属板５１の上板覆い域５１ｂは、図３（ｂ）に示すような非円形な平面形状で、補強周壁は、上方への反り返りの易度が高くなる高易反り返り域での高さを、それとは反対の低易反り返り域よりも高くしている。これにより、近時多くなっている平面形状がほぼ角形の器体１および器体蓋２５にほぼ相似形とした、金属板５１のほぼ角形な上板覆い域５１ｂの、コーナ部５１ｄが高易反り返り域となるのを、低易反り返り域となるそれ以外よりも補強周壁５１ｃの高さが高いＨ５とすることにより、反り返り強度を高められる。
【産業上の利用可能性】
【００３９】
本発明は電気炊飯器の器体蓋が入熱によって周辺が上方に反り返ることに関し、器体蓋の上板蒸気口まわりに設けられる金属板を利用して簡単に対応できる。
【符号の説明】
【００４０】
２５  器体蓋
３２  上板
３２ａ  溝部
３２ｂ  貫通部
３３  下板
４９  蒸気口
５１  金属板
５１ａ  連結部
５１ａ１  抜け止め部
５１ｂ  上板覆い域
５１ｃ  補強周壁
５６  ヒンジ連結部
【図１】
0005493491.tif 000002
【図２】
0005493491.tif 000003
【図３】
0005493491.tif 000004
【図４】
0005493491.tif 000005